(57)【特許請求の範囲】
【請求項１】
扉にディスプレイを備え、
火災報知設備からの移報に基づき、平常時と火災時において前記ディスプレイの表示内容を異ならせ、
前記平常時には、前記扉が設置された壁面と同じデザインが前記ディスプレイに表示され、前記火災時には前記壁面と異なる画面が前記ディスプレイに表示されることを特徴とする消防用設備。
【請求項２】
前記ディスプレイの近傍に音響部を備え、前記ディスプレイに表示する前記表示内容に対応した音声を発することを特徴とする請求項１に記載の消防用設備。
【請求項３】
前記扉は消火栓の消火栓扉である請求項１または２に記載の消防用設備。
【請求項４】
前記ディスプレイに消火栓の使用方法を表示することを特徴とする請求項３に記載の消防用設備。
【請求項５】
前記扉の両面に前記ディスプレイを設けることを特徴とする請求項１または２に記載の消防用設備。
【請求項６】
前記ディスプレイに避難情報を表示することを特徴とする請求項１乃至５のいずれかに記載の消防用設備。
【発明の詳細な説明】
【技術分野】
【０００１】
この発明は、消火栓や防火戸等の消防用設備に関する。
【背景技術】
【０００２】
火災時に操作して消火活動を行う消火栓は、消火栓箱の中に火災時に使用するノズルやホース等を収納している。特許文献１には、そのようなホース等を収納する消火栓が記載されている。従来の消火栓はホースがつぶれた状態で収納されていたため、ホースを全て引き出してから放水する必要があった。しかし近年では、ビルの就業者等であっても使用しやすい消火栓とすることが求められている。そのため消火栓箱には、家庭用ホースと同様に保形されてつぶれにくいホースを巻き回して収納している。これによって、消火栓の使用者は、ホースを全て引き延ばさなくても放水することができる（特許文献１参照）。
【０００３】
図１に、消火栓扉１６（上扉１６ａ、下扉１６ｂ）を開けた状態の消火栓の正面図を示す。消火栓１１ではホース１２がバルブ１３に接続された状態で消火栓箱１４の中に設置されている。消火栓箱１４の中にはベル１５も備えられている。なお、通常、消火栓扉１６は蝶番等で消火栓箱１４に回動可能に取り付けられており、図１では消火栓扉１６を省略している。
【０００４】
消火栓箱１４は消火栓扉１６を有しており、このようなホース１２等をむき出しで設置せずに、消火栓扉１６を閉じて消火栓箱１４の中に収納している。図２は、消火栓扉１６を閉じた従来の消火栓の正面図を示す。図２の消火栓１１では、消火栓箱１４の前面の消火栓扉１６は上扉１６ａと下扉１６ｂに分かれており、上扉１６ａには、発信機１７（ポンプ起動押しボタンを兼用）、表示灯１８などが設置されている。しかし、下扉１６ｂは単なる扉であって、その面には「消火栓」の文字が記載されている以外には何も設置されていない。
【０００５】
また、大きなビルには、火災時に煙や火災の拡大を防ぐ防火戸が設けられているが、防火戸の戸面にも何も設置されていない。
【先行技術文献】
【特許文献】
【０００６】
【特許文献１】特開２００４−２３６９１８号公報
【発明の概要】
【発明が解決しようとする課題】
【０００７】
消火栓が建物内にある場合、周囲のデザインを損なわないように周囲の壁等と同色の化粧仕上げなどが施されている。そのため目立たずに、火災が起きた時に有効に使用されない恐れがある。
【０００８】
また上述したように、ビルの就業者等であっても使用しやすい消火栓が求められているが、放水するためには発信機１７のボタンを押して、ポンプを起動してからバルブ１３を開ける操作が必要であるなど、放水のための手順が分かりにくい。さらに、目立たないように設置されている場合、火災の際に消火栓であるということが判りにくく、普段も消火栓であるということが認知されにくく、結果的に火災時に使用されにくいという問題があった。
【０００９】
そして、上記のような問題はトンネルや屋外に設置された、消火栓箱に収納される消火栓にもほぼ共通している。
【課題を解決するための手段】
【００１０】
本発明は上記の課題を解決するものであり、以下の構成を有している。
（１）本発明は、扉にディスプレイを備え、火災報知設備からの移報に基づき、平常時と火災時において前記ディスプレイに表示する表示内容を異ならせることを特徴とする消防用設備である。
【００１１】
（２）また、本発明は、前記平常時には、前記扉が設置された壁面と同じデザインが前記ディスプレイに表示され、前記火災時には前記壁面と異なる画面が前記ディスプレイに表示されることを特徴とする（１）に記載の消防用設備である。
【００１２】
（３）また、本発明は、前記扉の近傍に音響部を備え、前記ディスプレイに表示する前記表示内容に対応した音声を発することを特徴とする（１）または（２）に記載の消防用設備である。
【００１３】
（４）また、本発明は、前記扉は消火栓の消火栓扉である（１）乃至（３）のいずれかに記載の消防用設備である。
【００１４】
（５）また、本発明は、前記ディスプレイに消火栓の使用方法を表示することを特徴とする（４）に記載の消防用設備である。
【００１５】
（６）また、本発明は、前記ディスプレイに避難情報を表示することを特徴とする（１）乃至（５）のいずれかに記載の消防用設備である。
【発明の効果】
【００１７】
本発明の請求項１に記載の構成によると、消火栓扉や防火戸等といった消防用設備の扉部分にディスプレイを設け、火災報知設備と連動させるので、避難者にいち早く状況を知らせたり、消火栓等の使用者に必要な対応方法を知らせたりすることができる。
また、平常時はディスプレイの表示を壁と同じデザインとすることで目立たせず、火災時にのみ目立たせることができる。
【００１８】
また、本発明の請求項２に記載の構成によると、ディスプレイの表示内容に対応した音声を発するため、火災時に音声により消火栓の使用を促したり、避難者を誘導したりすることができる。また、平常時にも音声により人々の興味を引いて火災時の消火栓の利用を促すことができる。
【００１９】
また、本発明の請求項３に記載の構成によると、比較的大きい面積を有する消火栓扉を有効に利用することができる。
【００２０】
また、本発明の請求項４に記載の構成によると、消火栓の使用方法を伝えることにより、火災時の消火栓の利用を促進することができる。
【００２１】
また、本発明の請求項６に記載の構成によると、避難情報の表示により避難者を安全に誘導することができる。
【００２２】
なお、本発明は、建物内の壁面に設置される屋内消火栓、屋外に設置される屋外消火栓（ホース格納箱含む）、トンネル内に設置されるトンネル消火栓など、扉を備えた消火栓や防火戸等を含む消防用設備を対象とする。
【図面の簡単な説明】
【００２３】
【図１】消火栓扉１６を開けた状態の消火栓の正面図。
【図２】消火栓扉１６を閉じた従来の消火栓の正面図。
【図３】実施例１における消火栓１の正面図。
【図４】実施例１の平常時における消火栓１の正面図。
【図５】実施例１の平常時における消火栓説明表示時の消火栓１の正面図。
【図６】実施例１の防災設備全体を表す図。
【図７】ディスプレイ７で火災発生場所と現在位置、及び避難経路を示した際の消火栓１の正面図。
【図８】実施例２における防火戸８の上面図。
【発明を実施するための形態】
【実施例１】
【００２４】
図３は、実施例１における消火栓１の正面図である。消火栓には消火栓扉２が設けられ、消火栓扉２は上扉２ａと下扉２ｂに分かれている。上扉２ａには、音孔３、表示灯４、発信機５、取手６ａが設けられている。また、下扉２ｂには取手６ｂとディスプレイ７が設けられている。ディスプレイ７は、上下に並んだ上ディスプレイ７ａ、下ディスプレイ７ｂからなり、例えば液晶パネルや有機ＥＬパネルなどが用いられる。下扉２ｂの上ディスプレイ７ａ，下ディスプレイ７ｂ以外の表面は、周囲の壁と同じ色等のデザインとなっている。下扉２ｂを開けると、消火栓１の中には図１と同様にホース１２やバルブ１３が設置されている。
【００２５】
上扉２ａの音孔３は上扉２ａの内部に備えた音響部である音声スピーカ（図示せず）の音が外に出るように開けられた複数の小孔である。音声スピーカからは火災警報音やディスプレイ７の表示内容に対応した音声等を発する。また、表示灯４は、常時赤色で点灯し、火災の際には点滅する。発信機５は、火災の発見者がボタンを押すことにより火災発報するが、発信機５のボタンを押すことによって、消火栓１のポンプが起動される。上扉２ａは、取手６ａを引くことにより開く。
【００２６】
また、下扉２ｂは、取手６ｂを引くと開く。下扉２ｂの奥には、図１の消火栓１１と同様に、消火栓箱の中にホースやバルブが収納されている。そして、下扉２ｂの外面には、各々独立に表示することができる２枚の上ディスプレイ７ａと、下ディスプレイ７ｂが設けられている。
【００２７】
使用者が消火栓１を使用する際には、次の手順で消火する。
手順１  上扉２ａに取り付けられている発信機５のボタンを押してポンプを起動する。
手順２  取手６ｂを引いて下扉２ｂを開け、中に収納されているホースを引き出す。
手順３  ホース先端のノズルを火災に向ける。
手順４  バルブを開いて水を出し、放水する。
【００２８】
このように、ホース等が収納され、消火栓１を使用する際にはホースを取り出す必要があるため、下扉２ｂは比較的大きい。実施例１ではその下扉２ｂの表面をディスプレイとして利用して、火災時のみならず、平常時も含めて状況に応じた表示を行う。
【００２９】
（１）平常時
火災などの災害が発生していない平常時には、壁面と同じデザイン、消防用設備の案内、その他情報などを表示する。図４は、実施例１の平常時における消火栓１の正面図である。下扉２ｂのディスプレイ７以外の部分は壁と同じデザインとなるように塗装等が施されているが、図４では点線によりディスプレイ７も壁と同じデザインを表示していることを示す。このようにすると、消火栓１は周囲と一体化して目立たずに、建物等の高いデザイン性を損なわないようにすることができる。また、ディスプレイ７をデジタルサイネージとして利用し、一般的な広告やお知らせを表示することもできる。
【００３０】
さらに、ディスプレイ７には、一定のタイミング又はランダムに、消火栓の使用方法を表示することができる。図５は、実施例１の平常時における消火栓１の正面図である。上ディスプレイ７ａには消火栓の使用方法を表示しており、下ディスプレイ７ｂには「消火栓の使い方知っていますか？」と表示している。この表示によって、下ディスプレイ７ｂの表示により、消火栓の使い方への興味を誘導し、上ディスプレイ７ａを読んでもらうようにする。消火栓の使用方法を表示する際に、ディスプレイ７の近傍に設置された音声スピーカにより表示内容を読み上げた音声を出力することによって、さらに注目させ、消火栓の使い方を周囲にいる人に理解させることができる。また、消防訓練の際には、図５の下ディスプレイ７ｂに「消防訓練」と表示するなどして、訓練の主催者等による操作によって音声で説明してもよい。
【００３１】
（２）火災発生時
図６は、実施例１の防災設備全体を表す図である。受信機２０には、警報信号線２１，２２、感知器信号線２３が接続される。警報信号線２１には複数の消火栓１が接続され、警報信号線２２には複数の防火戸８が接続される。また、感知器信号線２３には複数の火災感知器２４が接続される。受信機２０、感知器信号線２３、火災感知器２４により火災報知設備が形成される。防火戸８にもディスプレイが設けられている。
【００３２】
受信機２０は感知器信号線２３を介して火災感知器２４を監視し、火災を判断して火災警報を発するとともに移報を発生する。そして、移報は警報信号線２１を介して消火栓１へ伝えられ、音声スピーカが鳴動する。また、移報は警報信号線２２を介して防火戸８へ伝えられ、防火戸８を閉鎖する。
【００３３】
消火栓１では、火災報知設備からの移報に基づいて音声スピーカが鳴動すると同時に、ディスプレイ７には壁面のデザインとは異なる所定の画面が表示される。この表示は、少なくとも一部の文字や文字背景等を赤色や橙色等の誘目性が高い色にしたり、補色で表示したり、色を変化させて表示したりすることにより、消火栓１が目立つようにする。受信機２０から消火栓１へは、火災を検知した位置も送信され、消火栓１ではその扉のディスプレイ７に避難経路を表示する。図７は、ディスプレイ７で火災発生場所と現在位置、及び避難経路を示した際の消火栓１の正面図である。上ディスプレイ７ａには建物の簡易地図に現在位置が星形で表示され、火災の位置が炎のマークで、避難方向が矢印で表示されている。また、下ディスプレイ７ｂには、どちらの方向へ避難すべきかを示す避難方向の矢印が表示される。このように、ディスプレイ７により避難情報を表示して、避難者を安全に誘導する。
【００３４】
また、実施例１におけるディスプレイ７で消火栓であることを強調して表示してもよい。火災の発生場所が近く、火災検知から時間があまり経っていない場合には、上ディスプレイ７ａに「消火栓」の文字を大きく表示して消火栓であることを示し、下ディスプレイ７ｂには「この中にホースあり」など、中にホースがある旨を表示する。ディスプレイ７で消火栓であることを強調して表示することによって、消火栓１の近くにいる人に下扉２ｂを開けさせ、ホースの使用を促す表示となっている。実施例１では、消火栓１の使用方法が下扉２ｂの内側に記載され（図示せず）、下扉２ｂを開けた状態で使用方法を読むことができるようになっている。しかしこれに代えて、下扉２ｂを開くと同時に上ディスプレイ７ａに表示してもよい（図示せず）。
【００３５】
また、この時に、音声スピーカから「扉を開けてホースを取り出し、火に向けてください。それから赤いボタンを押してください。そのあとで、扉の中、右上のコックを開けて放水してください。」と、案内音声を流してもよい。火災時の案内音声により、使用方法の案内ができるとともに、放水による消火を促すことになって消火栓の利用度向上が期待される。案内音声は、消火栓１に設けた人感センサにより人間を検知した際に流れるようにしてもよい。また、人感センサにより人間を検知していない場合には、「消火栓のホースで、消火してください。」と案内し、人間を検知した場合には、上記のような使用方法の案内音声を流してもよい。
【００３６】
次に、火災検知からある程度時間が経った場合には、上ディスプレイ７ａに消火栓の使用方法が表示され、下ディスプレイ７ｂに避難経路の矢印が表示される。このことにより、近くにいる人は、消火する余裕があれば消火栓を使用し、余裕が無ければ矢印の方向へ避難することができる。
【００３７】
このように実施例１では、消火栓１の消火栓扉２にディスプレイ７として上ディスプレイ７ａと下ディスプレイ７ｂの２枚を上下に設置しているが、これに限定せず、例えばディスプレイは大型のものを１枚だけ設置してもよいし３枚以上並べて設置してもよく、並べ方も上下左右いずれの方向に並べてもよい。
【００３８】
消火栓１をトンネルに設置する場合には、ディスプレイ７を液晶表示装置やＥＬ表示装置のように発光性能を有するものとして移報を受けた際などに高輝度で発光させ、非常用照明とすることができる。この明るさは、非常用照明となり得る高輝度であればよい。
【００３９】
また、建物や地下街に消火栓１を設置する場合には、停電時の非常用照明として利用することができる。ポンプを動作させるため、消火栓１には非常用電源が設けられている。したがって、火災の有無に関わらず、停電になった際には非常用電源とディスプレイ７を利用してディスプレイ７を発光させ、非常用照明として用いることができる。
【実施例２】
【００４０】
上記の実施例１では主に消火栓１の消火栓扉２にディスプレイを設けた発明について説明した。しかし、防災設備である防火戸にディスプレイを設けてもよい。
図８は、実施例２における防火戸８の上面図であり、図８（ａ）は平常時の防火戸８の状態を、図８（ｂ）は火災時の防火戸８の状態を示す。防火戸８は片面にディスプレイ９を備えている。平常時には、図８（ａ）に示すように防火戸８は壁１０に沿って収納されている。この時、ディスプレイ９は壁１０側を向いているため、外部から隠れている。火災が生じて受信機２０から移報をうけると、防火戸８は図８（ｂ）のように通路を閉じる。この時、ディスプレイ９は外部に露出する。実施例２では、平常時の防火戸８の露出面に周囲の壁等と同色の化粧仕上げを施し、周囲のデザインを損なわないようにしている。
【００４１】
そして、火災時には防火戸８が閉じたことを契機として、火災時用の表示に切り替える。その際には、火災の位置により、「扉を開けて避難してください。」との案内表示や、「扉を開けると危険です。極力開けないでください。」との案内表示、避難経路の表示などを行うことができる。また、音声スピーカを設けて、これらの案内表示の内容を音声によっても伝えることができる。
【００４２】
実施例２では、ディスプレイ９を防火戸８の壁１０側を向いた面に設けたが、平常時の防火戸８の露出面にディスプレイ９を設けて、デジタルサイネージなどに用いることができる。さらに、防火戸８の両面にディスプレイ９を設けて、ディスプレイ９が向いている方向が火災時に火災が生じている方向か否かによって表示を変えることもできる。この場合も、例えば、火災が生じている側のディスプレイ９には「扉を開けて避難してください。」との表示を行い、火災が生じていない側のディスプレイ９には「扉を開けると危険です。極力開けないでください。」といった表示を行うことができる。
【００４３】
なお、平常時にはディスプレイに広告を表示することにより、消防用設備の扉に設けたディスプレイを平常時にも有効活用することができる。
【００４４】
また、ディスプレイを火災時に高輝度で発光させることにより非常用照明として用いることができる。さらに、消防用設備が消火栓である場合にはポンプ用の非常用電源を備えているので、非常用電源を用いることにより停電時にも非常用照明としてディスプレイを使用することができる。
【００４５】
また、防火戸の広い表面をディスプレイに利用することができる。さらに、防火戸を開けて避難すべきか否かを、避難者に判断させるための避難情報を表示することができる。
【符号の説明】
【００４６】
１  消火栓、２  消火栓扉、２ａ  上扉、２ｂ  下扉、３  音孔、４  表示灯、５  発信機、６ａ  取手、６ｂ  取手、７  ディスプレイ、７ａ  上ディスプレイ、７ｂ  下ディスプレイ、８  防火戸、９  ディスプレイ、１０  壁、１１  消火栓、１２  ホース、１３  バルブ、１４  消火栓箱、１５  ベル、１６  消火栓扉、１６ａ  上扉、１６ｂ  下扉、１７  発信機、１８  表示灯、２０  受信機、２１、２２  警報信号線、２３  感知器信号線、２４  火災感知器
【図１】
0006546490.tif 000002
【図２】
0006546490.tif 000003
【図３】
0006546490.tif 000004
【図４】
0006546490.tif 000005
【図５】
0006546490.tif 000006
【図６】
0006546490.tif 000007
【図７】
0006546490.tif 000008
【図８】
0006546490.tif 000009